(57)【要約】  【課題】  各部材の配置及び組み付けの自由度を高くした状態で、安定的に各回路基板間で信号を伝送できる電子機器を提供する。  【解決手段】  メイン基板１に実装されたメインコントローラ１ａと、スキャナ基板２に実装されたスキャナコントローラ２ａ、プリンタ基板３に実装されたプリンタコントローラ３ａ、操作基板４に実装されたパネルコントローラ４ａ、ＮＣＵ基板５に実装されたＮＣＵコントローラ５ａ、または電源回路基板６に実装された電源コントローラ６ａとの間で、制御信号、データ信号などの信号を送受する無線通信を、無線機１ｂ，２ｂ，３ｂ，４ｂ，５ｂまたは６ｂを用いて必要に応じて行う。電源回路基板６から、ケーブル線１０を介して、メイン基板１、スキャナ基板２、プリンタ基板３、操作基板４、及びＮＣＵ基板５へ電力が供給される。【選択図】      図１
2007060042.tif 000002
【特許請求の範囲】
【請求項１】
複数の回路基板を備え、該複数の回路基板間で信号の伝送を行う電子機器において、前記複数の回路基板間での信号伝送を無線通信により行うように構成してあることを特徴とする電子機器。
【請求項２】
前記無線通信による信号には、自身を特定する情報が含まれていることを特徴とする請求項１記載の電子機器。
【請求項３】
前記複数の回路基板は電源回路基板を含んでおり、前記電源回路基板から他の回路基板への電力の供給を有線を介して行うように構成してあることを特徴とする請求項１または２記載の電子機器。
【発明の詳細な説明】
【技術分野】
【０００１】
本発明は、複数の回路基板を備えて、これらの回路基板間で信号の伝送を行う電子機器に関するものである。
【背景技術】
【０００２】
ファクシミリ装置、複合機などの電子機器には、メイン基板、スキャナ基板、プリンタ基板、パネル基板、電源回路基板などの複数の回路基板が設けられている。これらの回路基板同士を互いにハーネスにて接続し、ハーネスを介して回路基板間の信号伝送を行うことが従来から一般的である。
【０００３】
ハーネスを介して信号のやり取りを行う構成では、電子機器の筐体内にハーネスの通路を形成しておかなければならない、ハーネスを通る信号によってはＥＭＩ（電磁波障害）対策が必要であるなどの難点がある。これらの難点を解消するように、回路基板間の信号伝送を赤外線で行う構成が提案されている（例えば、特許文献１，２参照）。
【特許文献１】特開平１１−３０８３８７号公報
【特許文献２】特開２００４−９６５９８号公報
【発明の開示】
【発明が解決しようとする課題】
【０００４】
しかしながら、信号伝送を赤外線で行う構成にあっては、赤外線の光路を遮ることができないため電子機器の回路基板を含めた各部材の配置及び組み付けが制限されてしまうという問題がある。
【０００５】
本発明は斯かる事情に鑑みてなされたものであり、無線通信によって各回路基板間の信号伝送を行う構成とすることにより、各部材の配置及び組み付けに特別の配慮を払うことなく、また、ハーネスによる電磁波ノイズの影響を受けることなく、安定的に各回路基板間で信号を伝送できる電子機器を提供することを目的とする。
【課題を解決するための手段】
【０００６】
本発明に係る電子機器は、複数の回路基板を備え、該複数の回路基板間で信号の伝送を行う電子機器において、前記複数の回路基板間での信号伝送を無線通信により行うように構成してあることを特徴とする。
【０００７】
本発明の電子機器にあっては、無線通信を用いて各回路基板間で信号を伝送する。よって、遠く離れた回路基板間でも信号の伝送を容易に行え、また、伝送対象の回路基板間に他の部材が存在していても電波の回折現象により信号の伝送が可能であり、複数の回路基板を含めた各部材の配置及び組み付けの自由度は高くなる。
【０００８】
本発明に係る電子機器は、前記無線通信による信号には、自身を特定する情報が含まれていることを特徴とする。
【０００９】
本発明の電子機器にあっては、自身を特定する情報を無線通信における信号に含めている。よって、同種の電子機器が近傍にある場合でも、その電子機器と干渉し合うことがない。
【００１０】
本発明に係る電子機器は、前記複数の回路基板は電源回路基板を含んでおり、前記電源回路基板から他の回路基板への電力の供給を有線を介して行うように構成してあることを特徴とする。
【００１１】
本発明の電子機器にあっては、有線を介して電源回路基板から他の回路基板へ電力を供給している。よって、各回路基板へ確実に電力が供給される。
【発明の効果】
【００１２】
本発明では、回路基板間での信号伝送を無線通信により行うように構成しているので、これらの回路基板を含めた各部材の配置及び組み付けに制約を受けることなく、回路基板間での信号伝送が可能となり、複数の回路基板を含めた各部材の配置及び組み付けの自由度を向上することができる。
【００１３】
また本発明では、無線通信による信号に自身を特定する情報を含めるようにしているので、同種の電子機器が近傍にある場合でも、その電子機器と干渉し合うことがなく、混信しない正確な信号伝送を行うことができる。
【００１４】
更に本発明では、電源回路基板から他の回路基板への電力の供給を有線を介して行うように構成しているので、各回路基板へ確実に電力を供給することができる。
【発明を実施するための最良の形態】
【００１５】
以下、本発明をその実施の形態を示す図面を参照して具体的に説明する。なお、本発明は、以下の実施の形態に限定されるものではない。
【００１６】
図１は、本発明に係る電子機器としての複合機の構成の一例を示すブロック図である。複合機は、複数の回路基板として、メイン基板１と、スキャナ基板２と、プリンタ基板３と、操作基板４と、ＮＣＵ（Network Control Unit）基板５と、電源回路基板６とを備えている。
【００１７】
メイン基板１は、複合機全体の動作を制御するメインコントローラ１ａと、メインコントローラ１ａに接続されて、他の回路基板との間で信号の無線通信を行う通信機１ｂとを有する。スキャナ基板２は、原稿の読み取り動作を制御するスキャナコントローラ２ａと、スキャナコントローラ２ａに接続されて、メイン基板１との間で信号の無線通信を行う通信機２ｂとを有する。プリンタ基板３は、画像データの記録動作を制御するプリンタコントローラ３ａと、プリンタコントローラ３ａに接続されて、メイン基板１との間で信号の無線通信を行う通信機３ｂとを有する。操作基板４は、ユーザ入力に対する処理動作を制御するパネルコントローラ４ａと、パネルコントローラ４ａに接続されて、メイン基板１との間で信号の無線通信を行う通信機４ｂとを有する。ＮＣＵ基板５は、他の複合機との通信動作を制御するＮＣＵコントローラ５ａと、ＮＣＵコントローラ５ａに接続されて、メイン基板１との間で信号の無線通信を行う通信機５ｂとを有する。電源回路基板６は、複合機内の各部材に対する給電動作を制御する電源コントローラ６ａと、電源コントローラ６ａに接続されて、メイン基板１との間で信号の無線通信を行う通信機６ｂとを有する。なお、これらの各コントローラには固有の番号が設定されている。
【００１８】
このような構成により、本発明の複合機では、メイン基板１と、スキャナ基板２、プリンタ基板３、操作基板４、ＮＣＵ基板５、または電源回路基板６との間で、制御信号、データ信号などの信号を送受する無線通信を行えるようになっている。
【００１９】
なお、電源回路基板６と、メイン基板１、スキャナ基板２、プリンタ基板３、操作基板４、及びＮＣＵ基板５とは、それぞれケーブル線１０にて接続されており、ケーブル線１０を介して電源回路基板６からそれらの回路基板それぞれへ電力が供給されるようになっている。
【００２０】
次に、本発明の複合機の動作について説明する。メイン基板１に実装されたメインコントローラ１ａと、スキャナ基板２に実装されたスキャナコントローラ２ａ、プリンタ基板３に実装されたプリンタコントローラ３ａ、操作基板４に実装されたパネルコントローラ４ａ、ＮＣＵ基板５に実装されたＮＣＵコントローラ５ａ、または電源回路基板６に実装された電源コントローラ６ａとの間で、制御信号、データ信号などの信号を送受する無線通信を必要に応じて行う。
【００２１】
図２は、この無線通信における信号のフォーマットを示す模式図である。この信号には、制御信号、データ信号などの送信データに加えて、この複合機（電子機器）を特定するためのＩＤ情報と、送信相手先の回路基板に実装されたコントローラの番号とが付加されている。このＩＤ情報は、複合機に固有のものであり、その製造時に各コントローラに記憶させておく。
【００２２】
図３は、無線通信の送信処理の動作手順を示すフローチャートである。送信元の回路基板のコントローラは、送信データ（制御信号、データ信号など）を作成する（ステップＳ１）。次いで、複合機を特定するＩＤ情報と、送信相手先の回路基板のコントローラの番号とを、送信データに付加する（ステップＳ２）。そして、付設の通信機を用いて、これらを含めた信号を無線送信する（ステップＳ３）。
【００２３】
図４は、無線通信の受信処理の動作手順を示すフローチャートである。各回路基板のコントローラは、付設の通信機を用いて、送られてきた信号を無線受信する（ステップＳ１１）。次いで、受信した信号に含まれるＩＤ情報を識別する（ステップＳ１２）。含まれているＩＤ情報が自身の複合機を特定するＩＤ情報に一致するか否かを判断し（ステップＳ１３）、一致しない場合には（Ｓ１３：ＮＯ）、そのまま動作を終了する。
【００２４】
ＩＤ情報が一致する場合に（Ｓ１３：ＹＥＳ）、コントローラは、受信した信号に含まれるコントローラの番号を識別する（ステップＳ１４）。含まれているコントローラの番号が自身の番号と一致するか否かを判断し（ステップＳ１５）、一致しない場合には（Ｓ１５：ＮＯ）、そのまま動作を終了する。コントローラの番号が一致する場合に（Ｓ１５：ＹＥＳ）、コントローラは、受信した信号に含まれる送信データを解析し、送信データに応じた処理を行って（ステップＳ１６）、動作が終了する。
【００２５】
以上のようにして、メイン基板１と、スキャナ基板２、プリンタ基板３、操作基板４、ＮＣＵ基板５、または電源回路基板６との間で、制御信号、データ信号などの信号の無線通信を行える。無線通信にて信号を伝送するので、これらの回路基板を含めた複合機の各部材の配置及び組み付けに制約がなくなり、その自由度を非常に高くできる。また、複合機にあっては、メイン基板１と操作基板４とが離れている場合が多いが、これらの間でも無線通信により信号を正確に伝送できる。
【００２６】
このような無線通信にあって、ファクシミリ装置（電子機器）を特定するＩＤ情報を併せて送受信しているので、他のファクシミリ装置（電子機器）が近傍にあっても、干渉し合うことはなく、混信を避けることができる。また、各回路基板を特定するコントローラの番号を併せて送受信しているので、送信相手先が間違えられることはなく、正確な信号通信を行える。
【００２７】
なお、上述した実地の形態では、メイン基板１と、スキャナ基板２、プリンタ基板３、操作基板４、ＮＣＵ基板５、または電源回路基板６との間で、信号の無線通信を行う構成としたが、メイン基板１、スキャナ基板２、プリンタ基板３、操作基板４、ＮＣＵ基板５、及び電源回路基板６のうちの任意の２つの回路基板の間で、信号の無線通信を行うように構成できることは勿論である。また、送信元が１つの回路基板であって、送信先が１つの回路基板である場合について説明したが、送信元及び／または送信先が複数の回路基板であるようにしても良い。
【００２８】
上述した実地の形態では、送信先の回路基板をコントローラの番号にて識別するようにしたが、送信先毎に通信時の周波数を異ならせるようにして、周波数にて送信先の回路基板を識別するようにしても良い。この場合には、コントローラの番号を付与する必要がなくなる。
【００２９】
また、送信元の回路基板を特定する情報（送信元のコントローラの番号）も送信用のデータフォーマットに含ませるようにしても良い。
【００３０】
また、上述した実地の形態では、複合機を例にして説明したが、これは一例であり、ファクシミリ装置、複写機などの他の電子機器にも本発明を適用できることは勿論である。
【図面の簡単な説明】
【００３１】
【図１】本発明の複合機の構成の一例を示すブロック図である。
【図２】無線通信における信号のフォーマットを示す模式図である。
【図３】無線通信の送信処理の動作手順を示すフローチャートである。
【図４】無線通信の受信処理の動作手順を示すフローチャートである。
【符号の説明】
【００３２】
１  メイン基板
１ａ  メインコントローラ
２  スキャナ基板
２ａ  スキャナコントローラ
３  プリンタ基板
３ａ  プリンタコントローラ
４  操作基板
４ａ  パネルコントローラ
５  ＮＣＵ基板
５ａ  ＮＣＵコントローラ
６  電源回路基板
６ａ  電源コントローラ
１ｂ，２ｂ，３ｂ，４ｂ，５ｂ，６ｂ  通信機
１０  ケーブル線
【図１】
2007060042.tif 000003
【図２】
2007060042.tif 000004
【図３】
2007060042.tif 000005
【図４】
2007060042.tif 000006